(57)【要約】【課題】ディスクのデータ記録領域などへ影響を与えることなくディスクをガイドして所定位置へ導くことが可能な経路機構及びそれを備えた情報処理装置を提供する。【解決手段】環状のデータ記録領域を有するメディアＭが摺動しながら移動可能なガイド通路１３０を形成しているスタッカトレイ１０１を備えた経路機構であって、スタッカトレイ１０１は、メディアＭの外周部分を移動方向に沿って摺動可能に支持する一対のガイド面１２５ｃ，１２６ｃを有し、ガイド面１２５ｃ，１２６ｃは、メディアＭのデータ記録面における環状のデータ記録領域の外周側に設けられた非データ記録領域Ｙの幅Ａよりも小さい幅寸法Ｗに形成されている。【選択図】図１１
2010055656.tif 000002
【特許請求の範囲】
【請求項１】
ディスクが摺動しながら移動可能なガイド通路を形成しているディスクガイド部材を備えた経路機構であって、
前記ディスクガイド部材は、前記ディスクの外周部分を移動方向に沿って摺動可能に支持する一対の摺動部を有し、
前記各摺動部は、前記ディスクの環状の処理領域の外周側に設けられた非処理領域の幅よりも小さい幅寸法に形成されていることを特徴とする経路機構。
【請求項２】
請求項１に記載の経路機構であって、
前記一対の摺動部の外側に立設された一対の壁部同士の間隔は、前記ディスクの外径よりも僅かに大きな寸法とされ、これらの寸法差が前記ディスクの前記非処理領域の幅以下の範囲とされていることを特徴とする経路機構。
【請求項３】
請求項１または２に記載の経路機構であって、
前記各摺動部の幅寸法が１ｍｍ以下であることを特徴とする経路機構。
【請求項４】
ディスクが摺動しながら移動可能なガイド通路を形成しているディスクガイド部材を備えた経路機構であって、
前記ディスクガイド部材は、前記ディスクの外周部分を移動方向に沿って摺動可能に支持する一対の摺動部を有し、
前記各摺動部は、前記ディスクの移動方向に直交する断面視にて、下方へ凹む曲面状に形成されていることを特徴とする経路機構。
【請求項５】
ディスクが摺動しながら移動可能なガイド通路を形成しているディスクガイド部材を備えた経路機構であって、
前記ディスクガイド部材は、前記ディスクの外周部分を移動方向に沿って摺動可能に支持する一対の摺動部を有し、
前記各摺動部は、前記ディスクの移動方向に直交する断面視にて、前記ガイド通路の中央に向かって下方へ傾斜する平面状に形成されていることを特徴とする経路機構。
【請求項６】
請求項５に記載の経路機構であって、
前記各摺動部分には、前記ディスクの移動方向に直交する軸線を中心として回動可能な複数の転動体が前記ディスクの移動方向に沿って配列されていることを特徴とする経路機構。
【請求項７】
請求項１から６の何れか一項に記載の経路機構を備え、前記ディスクの前記処理領域に対して処理を行う処理部を有することを特徴とする情報処理装置。
【発明の詳細な説明】
【技術分野】
【０００１】
本発明は、ＣＤあるいはＤＶＤ等のメディアであるディスクをガイドする経路機構及びそれを備えた情報処理装置に関する。
【背景技術】
【０００２】
近年、ブランクＣＤ（Compact Disc）やＤＶＤ（Digital Versatile Disc）等のメディア（情報記録媒体）にデータの書き込みを行うディスクダビング装置、データの書き込みとレーベル印刷を行ってメディアを制作して発行可能なＣＤ／ＤＶＤパブリッシャ等のメディア処理装置が用いられつつある。この種のメディア処理装置としては、メディアへデータを書き込むドライブ、メディアのレーベル面に印刷を施すプリンタおよびこれらドライブやプリンタに対してメディアを把持して搬送するメディア搬送機構を備えたものが知られている（例えば、特許文献１参照）。
【０００３】
【特許文献１】特開２００６−２０２３７９号公報
【発明の開示】
【発明が解決しようとする課題】
【０００４】
ところで、上記のようなディスクを処理する情報処理装置には、処理したディスクをガイド通路の傾斜面に沿って滑らせてユーザによるディスクの受け取り位置へ送り出す構造を有するものがあるが、このようにディスクを傾斜面で滑らせて受け取り位置へ送り出す構造では、ディスクのデータ記録面が傾斜面に擦れて傷つき、記録データの読取品質に影響を与えるおそれがある。
【０００５】
そこで本発明の目的は、ディスクのデータ記録領域などへ影響を与えることなくディスクをガイドして所定位置へ導くことが可能な経路機構及びそれを備えた情報処理装置を提供することにある。
【課題を解決するための手段】
【０００６】
上記目的を達成するために、本発明の経路機構は、ディスクが摺動しながら移動可能なガイド通路を形成しているディスクガイド部材を備えた経路機構であって、
前記ディスクガイド部材は、前記ディスクの外周部分を移動方向に沿って摺動可能に支持する一対の摺動部を有し、
前記各摺動部は、前記ディスクの環状の処理領域の外周側に設けられた非処理領域の幅よりも小さい幅寸法に形成されていることを特徴とする。
【０００７】
この構成の経路機構によれば、ディスクの外周部分を摺動可能に支持するガイド通路を形成しているディスクガイド部材の一対の摺動部が、ディスクの処理領域の外周側に設けられた非処理領域の幅よりも小さい幅寸法に形成されているので、ディスクの移動時における処理領域への損傷を防止することができる。つまり、処理領域へ影響を与えることなくディスクをガイドして所定位置へ導くことができる。
【０００８】
また、前記一対の摺動部の外側に立設された一対の壁部同士の間隔は、前記ディスクの外径よりも僅かに大きな寸法とされ、これらの寸法差が前記ディスクの前記非処理領域の幅以下の範囲とされていることが好ましい。これにより、ガイド通路内にて移動するディスクの非処理領域のみを一対の摺動部にて確実に支持させることができる。
【０００９】
また、前記各摺動部の幅寸法が１ｍｍ以下であることが好ましい。これにより、規格によりディスクの非処理領域の幅が１ｍｍである場合においても、確実に非処理領域のみを一対の摺動部にて支持させることができる。
【００１０】
また、本発明の経路機構は、ディスクが摺動しながら移動可能なガイド通路を形成しているディスクガイド部材を備えた経路機構であって、
前記ディスクガイド部材は、前記ディスクの外周部分を移動方向に沿って摺動可能に支持する一対の摺動部を有し、
前記各摺動部は、前記ディスクの移動方向に直交する断面視にて、下方へ凹む曲面状に形成されていることを特徴とする。
【００１１】
この構成の経路機構によれば、ディスクの外周部分を摺動可能に支持するガイド通路を形成しているディスクガイド部材の各摺動部が、ディスクの移動方向に直交する断面視にて下方へ凹む曲面状に形成されているので、ディスクの下面側における外周部分の角部のみが各摺動部に接触することとなり、ディスクの移動時における処理領域への損傷を防止することができる。つまり、処理領域へ影響を与えることなくディスクをガイドして所定位置へ導くことができる。
【００１２】
また、本発明の経路機構は、ディスクが摺動しながら移動可能なガイド通路を形成しているディスクガイド部材を備えた経路機構であって、
前記ディスクガイド部材は、前記ディスクの外周部分を移動方向に沿って摺動可能に支持する一対の摺動部を有し、
前記各摺動部は、前記ディスクの移動方向に直交する断面視にて、前記ガイド通路の中央に向かって下方へ傾斜する平面状に形成されていることを特徴とする。
【００１３】
この構成の経路機構によれば、ディスクの外周部分を摺動可能に支持するガイド通路を形成しているディスクガイド部材の各摺動部が、ディスクの移動方向に直交する断面視にて、前記ガイド通路の中央に向かって下方へ傾斜する平面状に形成されているので、ディスクの下面側における外周部分の角部のみが各摺動部に接触することとなり、ディスクの移動時における処理領域への損傷を防止することができる。つまり、処理領域へ影響を与えることなくディスクをガイドして所定位置へ導くことができる。
【００１４】
また、前記各摺動部分には、前記ディスクの移動方向に直交する軸線を中心として回動可能な複数の転動体が前記ディスクの移動方向に沿って配列されていることが好ましい。これにより、ディスクとの接触抵抗を極力抑えることができ、ディスクを円滑に案内することができる。
【００１５】
また、本発明の情報処理装置は、上記の何れかの経路機構を備え、前記ディスクの前記処理領域に対して処理を行う処理部を有することを特徴とする。
【００１６】
この構成の情報処理装置によれば、処理領域へ影響を与えることなくディスクをガイドして所定位置へ導くことができる経路機構を備えているので、ディスクの記録データの読取品質や印刷品質に影響を与えることなく、ディスクの処理領域に対する処理を行うことができる。
【発明を実施するための最良の形態】
【００１７】
以下、本発明に係る経路機構及びそれを備えた情報処理装置の実施形態について図面を参照して説明する。
なお、本実施形態では、パブリッシャからなるメディア処理装置を情報処理装置の一例として説明する。
図１はパブリッシャ（情報処理装置）の外観斜視図、図２はパブリッシャのケースを外した状態の前方側の斜視図、図３はパブリッシャのケースを外した状態の後方側の斜視図、図４はパブリッシャに設置されたレーベルプリンタ部分の斜視図である。
【００１８】
パブリッシャ１は、例えばＣＤあるいはＤＶＤ等の円板状のメディアへのデータの書き込みやメディアのレーベル面への印刷を行うメディア処理装置であり、ほぼ直方体形状のケース２を備えている。このケース２の前面には、左右に開閉可能な開閉扉３、４が取り付けられている。ケース２の上側左端部には、表示ランプ、操作ボタンなどが配列された操作面５が設けられており、また、ケース２の下端には、メディア排出口６が設けられている。
【００１９】
正面視右側の開閉扉３は、ブランクメディアをセットする時、或いは作成済みメディアを取り出す時に開閉する。
【００２０】
図２に示すように、正面視左側の開閉扉４は、レーベルプリンタ（記録装置）１１のインクカートリッジ１２の交換時に開閉するためのものであり、この開閉扉４を開けると、鉛直方向に配列された複数のカートリッジホルダ１３を有するカートリッジ装着部１４が露出するようになっている。
【００２１】
図３にも示すように、パブリッシャ１のケース２の内部には、データ書き込み処理が行われていない複数枚の未使用のブランクメディアＭＡをスタック可能なブランクメディアスタッカ２１と、作成済みメディアＭＢが保管される作成済みメディアスタッカ２２が同軸状態で上下に配置されている。
【００２２】
ブランクメディアスタッカ２１は、左右一対の円弧状の枠板２４，２５を備えており、これにより、ブランクメディアＭＡを上側から受け入れ、同軸に積層した状態で収納可能なスタッカが構成されている。ブランクメディアスタッカ２１にブランクメディアＭＡを収納あるいは補充する作業は、開閉扉３を開けることにより、簡単に行うことが可能となっている。
【００２３】
下側の作成済みメディアスタッカ２２も同一構造となっており、左右一対の円弧状の枠板２７，２８を備えており、これによって、作成済みメディアＭＢを上側から受け入れ、同軸に積層した状態で収納可能なスタッカが構成されている。
【００２４】
また、開閉扉３からは、作成済みメデイアＭＢ（すなわち、データの書き込み、及びレーベル面印刷が終了したメディア）を取り出すこともできる。
【００２５】
これらのブランクメディアスタッカ２１及び作成済みメディアスタッカ２２の後側には、メディア搬送機構３１が配置されている。メディア搬送機構３１は、ベース７２に取り付けられている水平支持板部３４と図示せぬ天板を構成するシャーシの間に垂直に架け渡されている垂直ガイド軸３５と、この垂直ガイド軸３５に取り付けた搬送アーム３６とを備えている。搬送アーム３６は、駆動モータ３７によって垂直ガイド軸３５に沿って昇降可能であるとともに、垂直ガイド軸３５を中心に左右に旋回可能である。メディア搬送機構３１によってメディア排出口６に搬送されてきたメディアは、このメディア排出口６から外部に取り出すことが可能である。
【００２６】
上下のスタッカ２１，２２及びメディア搬送機構３１の側方の部位には、上下に積層された２つのメディアドライブ４１が配置され、これらメディアドライブ４１の下側にレーベルプリンタ１１の後述するキャリッジ６２（図４参照）が移動可能に配置されている。
メディアドライブ４１は、メディアへのデータ書き込み位置とメディアの受け取り受け渡しを行うメディア受け渡し位置との間を移動可能なメディアトレイ４１ａをそれぞれ有している。
【００２７】
また、レーベルプリンタ１１は、メディアのレーベル面へのレーベル印刷可能な位置とメディアの受け取り受け渡しを行うメディア受け渡し位置との間を移動可能なメディアトレイ５１を有している。
【００２８】
図２及び図３では、上側のメディアドライブ４１のメディアトレイ４１ａが手前に引き出されてメディア受け渡し位置にある状態及び下側のレーベルプリンタ１１のメディアトレイ５１が奥側のレーベル印刷可能位置にある状態が示されている。また、レーベルプリンタ１１はインクジェットプリンタであり、インク供給機構７１として各色（本実施形態ではブラック、シアン、マゼンタ、イエロー、ライトシアン、ライトマゼンタの６色）のインクカートリッジ１２が用いられ、これらのインクカートリッジ１２がカートリッジ装着部１４の各カートリッジホルダ１３に前方から装着されている。
【００２９】
ここで、ブランクメディアスタッカ２１の左右一対の枠板２４，２５の間及び作成済みメディアスタッカ２２の左右一対の枠板２７，２８の間には、メディア搬送機構３１の搬送アーム３６が昇降可能な隙間が形成されている。また、これら上下のブランクメディアスタッカ２１と作成済みメディアスタッカ２２との間には、メディア搬送機構３１の搬送アーム３６が水平に旋回して、作成済みメディアスタッカ２２の真上に位置できるように隙間が開いている。さらに、メディアトレイ４１ａをメディアドライブ４１に押し込むと、メディア搬送機構３１の搬送アーム３６を下降させて、メディア受け渡し位置にあるメディアトレイ５１にアクセス可能となっている。したがって、搬送アーム３６の昇降及び左右への旋回の組み合わせ動作によって、メディアを各部に搬送することが可能とされている。
【００３０】
メディアトレイ５１のメディア受け渡し位置の下方には、廃棄用メディアＭＤを保管するための廃棄用スタッカ５２が配置されており、この廃棄用スタッカ５２には、例えば３０枚程度の廃棄用メディアＭＤが保管可能とされている。メディアトレイ５１が廃棄用スタッカ５２の上方のメディア受け渡し位置からデータ書き込み位置へ退避した状態にてメディア搬送機構３１の搬送アーム３６により、廃棄用メディアＭＤを廃棄用スタッカ５２に供給可能となっている。
【００３１】
まとめると、ＣＤあるいはＤＶＤからなるメディアは、ブランクメディアスタッカ２１、作成済みメディアスタッカ２２、廃棄用スタッカ５２、メディアドライブ４１のメディアトレイ４１ａ及びレーベルプリンタ１１のメディアトレイ５１間を、メディア搬送機構３１の搬送アーム３６によって搬送される。
【００３２】
次に、レーベルプリンタ１１の構成について説明する。
図２から図４にも示すように、レーベルプリンタ１１はインクジェットヘッド６１を有するキャリッジ６２を備えており、このキャリッジ６２は、キャリッジガイド軸６３に沿って、水平方向に往復移動可能に支持されている。そして、このキャリッジ６２は、キャリッジガイド軸６３に沿って水平に架け渡したタイミングベルト６４と、これを駆動するためのキャリッジモータ６５とを備えている。
【００３３】
キャリッジ６２に搭載されているインクジェットヘッド６１は、そのノズル面が下向きとされており、インクジェットヘッド６１の下側位置を、前後方向に水平にメディアトレイ５１が往復移動可能となっている。メディアトレイ５１は、その右側の端が、前後方向に水平に延びるガイド軸６６によって支持され、その左側の端が、スライド可能な状態で、前後方向に水平に延びるガイドレール６７によって支持されている。このメディアトレイ５１の駆動機構も、前後方向に水平に架け渡した図示しないタイミングベルトと、これを駆動するためのトレイモータとを備えた構成となっている。
【００３４】
レーベルプリンタ１１は、インクカートリッジ１２が装着されるカートリッジ装着部１４を有するインク供給機構７１を備えている。このインク供給機構７１は、縦型構造を有しており、パブリッシャ１のベース７２上に立設されて鉛直方向に配設されている。このインク供給機構７１には、可撓性を有するインク供給チューブ７３の一端が接続されており、このインク供給チューブ７３の他端は、キャリッジ６２に接続されている。
【００３５】
そして、インク供給機構７１のインクカートリッジ１２のインクは、インク供給チューブ７３を介してキャリッジ６２に供給され、このキャリッジ６２に設けられた図示しないダンパユニット及び背圧調整ユニットを経てインクジェットヘッド６１に供給される。
なお、インク供給機構７１には、その上部に、加圧機構７４が設けられており、この加圧機構７４は、インクカートリッジ１２内を加圧し、インクカートリッジ１２内のインクパックに貯留しているインクを送り出す。
【００３６】
また、キャリッジ６２のホームポジション（図４に示す位置）における下方側には、インク吸引機構８１が設けられている。このインク吸引機構８１は、ホームポジションに配置されたキャリッジ６２の下面に露出するインクジェットヘッド６１のノズルを覆うキャップ８２と、インクジェットヘッド６２のヘッドクリーニング動作やインク充填動作によってキャップ８２に排出された廃インクを吸引する廃インク吸引ポンプ８３とを備えている。
【００３７】
そして、このインク吸引機構８１の廃インク吸引ポンプ８３によって吸引された廃インクは、チューブ８４を介して、廃インク吸収タンク８５へ送り込まれる。
この廃インク吸収タンク８５は、ケース８６内に後述する吸収材１０４を配設したもので、その上面は、複数の通気孔８７を有するカバー８８によって覆われている。
なお、廃インク吸引機構８１の下方には、廃インク吸収タンク８５の一部である廃インク受け部８９が設けられ、廃インク吸引機構８１から滴下した廃インクを受け止め、吸収材によって吸収するようになっている。
【００３８】
メディアトレイ５１は、矩形の板の上面に、メディアを載せるための円形の低い凸部５１ａを備えている。また、この凸部５１ａの中心部には、同心円上において１２０度間隔に配置された図示せぬ３本の掛止部を備えている。３本の掛止部は半径方向に一体となって移動可能であり、メディアトレイ５１がメディア受け渡し位置に移動すると、不図示のカム機構によって３本の掛止部が移動するようになっている。
【００３９】
メディアを、そのレーベルなどが印刷されるレーベル面を上向きにして、上から凹部５１ａに落とすと、メディアのセンターホールに３本の掛止部が差し込まれた状態になる。この後に、３本の掛止部を半径方向の外方に僅かに移動すると、これら３本の掛止部がメディアのセンターホールの内周面に内側から押し付けられた状態になる。これにより、メディアがメディアトレイ５１に保持される。この状態で、図示せぬトレイモータを駆動して、メディアトレイ５１をガイド軸６６に沿って後ろ側に移動させ、インクジェットヘッド６１の印字領域内まで移動させることができる。この後は、インクジェットヘッド６１によって、メディアのレーベル面に所定の印刷を施すことができる。
【００４０】
次に、ブランクメディアスタッカ２１及び作成済みメディアスタッカ２２の側方に設けられて廃棄用メディアＭＤを収納する廃棄用スタッカ５２及び廃棄用メディアＭＤあるいは作成済みメディアＭＢが送り出されるメディア排出口６について詳述する。なお、以下、廃棄用メディアＭＤ及び作成済みメディアＭＢをメディアＭと称して説明する。
図５はパブリッシャの内部構造を示す平面図である。
図５に示すように、ブランクメディアスタッカ２１及び作成済みメディアスタッカ２２が上下に配置された個所の側方には、スタッカトレイ（ディスクガイド部材）１０１が設けられており、このスタッカトレイ１０１の装置後方側に、廃棄用スタッカ５２が着脱可能とされ、スタッカトレイ１０１の装置前方側に、メディア排出口６に露出される排出用メディアスタッカ部１０３が形成されている。
【００４１】
廃棄用スタッカ５２及び排出用メディアスタッカ部１０３にも、上方側からメディアＭを厚さ方向に積み上げた状態で収納可能な構造となっており、例えば、廃棄用スタッカ５２には３O枚、排出用メディアスタッカ部１０３には２O枚のメディアＭが収納可能である。
廃棄用スタッカ５２は、ブランクメディアスタッカ２１及び作成済みメディアスタッカ２２と同様に、回動する搬送アーム３６によるメディアＭの搬送経路上に配置されており、昇降する搬送アーム３６によって廃棄用スタッカ５２へメディアＭが搬送可能とされている。
【００４２】
これに対して、排出用メディアスタッカ部１０３は、廃棄用スタッカ５２の手前側に隣接配置されており、ディスク搬送経路である搬送アーム３６の旋回軌跡から外れた位置に配置されている。
【００４３】
次に、スタッカトレイ及びメディア排出口の構造について詳述する。
図６及び図７はスタッカトレイを示す斜視図、図８はスタッカトレイを示す概略側断面図、図９はメディアを説明するメディアのデータ記録面側の平面図、図１０及び図１１はスタッカトレイを示す概略横断面図、図１２はメディア排出口における断面図、図１３はメディア排出口におけるメディアの排出状態を示す斜視図である。
【００４４】
図６及び図７に示すように、スタッカトレイ１０１の後方側には、スタッカ装着用凹部１０２が形成されており、このスタッカ装着用凹部１０２に、廃棄用スタッカ５２が着脱可能とされており、この廃棄用スタッカ５２を着脱させることにより、メディアＭを容易に取り出すことができるようになっている。
【００４５】
スタッカトレイ１０１は、樹脂で成形されており、底板部１２１と、この底板部１２１の両側の縁から起立している側壁部１２２，１２３と、底板部１２１の後端縁が起立している端板部１２４とを備えている。左右の側壁部１２２，１２３における前後方向の中程の部位には、内方に向けて略台形状に左右の仕切り部１２５，１２６が突出している。
そして、左右の側壁部１２２，１２３の間における端板部１２４と仕切り部１２５，１２６との間に、平面視円形のスタッカ装着用凹部１０２が形成されている。
【００４６】
左右の仕切り部１２５，１２６は、その手前側の側面が、抜き勾配０．５度の垂直に近い勾配で起立している円弧ガイド面１２５ａ，１２６ａとされている。また、左側の側壁部１２２には、左側の仕切り部１２５の円弧ガイド面１２５ａと滑らかに連続する円弧ガイド面１２２ａが形成されている。円弧ガイド面１２５ａ、１２６ａは収納されるメディアＭの外周部が当接してメディアＭの移動を規制するためのもので、メディアＭの外周部より僅かな隙間をもってメディアＭを案内し、円弧ガイド面１２２ａの開口部１０３ａ側の端部が、対向位置に配置されているメディアフル検出センサ１３１にメディアＭを寄せる為に円弧ガイド面１２５ａの軌跡より狭まっている。
【００４７】
また、右側の側壁部１２３は、その手前側が、右側の仕切り部１２６の円弧ガイド面１２６ａの端部付近にて切り欠かれている。
そして、左右の仕切り部１２５，１２６の円弧ガイド面１２５ａ，１２６ａ、左側の側壁部１２２の円弧ガイド面１２２ａ及び底板部１２１の前側の平坦な底面部１２１ａによって囲まれた空間部分が、排出用メディアスタッカ部１０３となっている。
【００４８】
また、排出用メディアスタッカ部１０３は、切り欠かれた右側の側壁部１２３の手前側の端部と円弧ガイド面１２２ａが形成された左側の側壁部１２２の手前側の端部との間が開口部１０３ａとされて広く開口されており、収納されたメディアＭの一部が開口部１０３ａから突出され、メディア排出口６に露出されるようになっている。したがって、メディア排出口６にて、排出用メディアスタッカ部１０３に排出されたメディアＭが取り出し可能とされている。なお、左側の側壁部１２２の手前側の端部は、その円弧ガイド面１２２ａの高さが、排出用メディアスタッカ部１０３内に収容する最大収納枚数（２０枚）のメディアＭを積層させた際の最上部のメディアＭの上面と略同一高さに設定されている。
【００４９】
スタッカトレイ１０１の左右の仕切り部１２５，１２６の上面は、前方に傾斜した傾斜案内部１２５ｂ，１２６ｂとされ、これら傾斜案内部１２５ｂ，１２６ｂには、メディアＭのガイド通路１３０が構成されている。この傾斜案内部１２５ｂ，１２６ｂには、その縁部に、一対のガイド面（摺動部）１２５ｃ，１２６ｃが形成されている。また、これらガイド面１２５ｃ，１２６ｃの外側には、一対のガイド壁（壁部）１２５ｄ，１２６ｄが立設されている。
【００５０】
そして、図８に示すように、搬送アーム３６から落下したメディアＭは、ガイド壁１２５ｄ，１２６ｄの間にて、そのデータ記録面側における外周部分が、ガイド通路１３０を構成する傾斜案内部１２５ｂ，１２６ｂのガイド面１２５ｃ，１２６ｃに接触しながら滑り落ちることにより、排出用メディアスタッカ部１０３へ導かれる。
【００５１】
図９に示すように、メディアＭは、円板形状に形成された透明なポリカーボネイト製の基板９０の中心に円形状のチャッキング用の中心孔Ｍａが形成されたもので、中心孔Ｍａが、搬送アーム３６及びメディアトレイ５１に設けられた保持機構（図示略）によって保持される。
【００５２】
このメディアＭは、一方の面がデータ記録面とされている。データ記録面は、環状のデータ記録領域（処理領域）Ｘを有しており、このデータ記録領域Ｘに対してドライブ４１によってデータの読み書きが可能とされている。
【００５３】
このデータ記録領域Ｘの外径Ｄｘ１は、メディアＭの外径Ｄｍ１に対して所定寸法だけ小さくされており、これにより、メディアＭは、データ記録面におけるデータ記録領域Ｘの外周に、データの読み書きが不能な、所定幅Ａ（約１ｍｍ）の環状の非データ記録領域（非処理領域）Ｙを有している。
【００５４】
なお、データ記録領域Ｘの内径Ｄｘ２は、基板９０の中心孔Ｍａの内径Ｄｍ２に対して所定寸法だけ大きくされており、これにより、メディアＭは、データ記録面におけるデータ領域Ｘの内周側にも、データの読み書きが不能な環状の非データ記録領域Ｚを有している。
また、メディアＭは、他方の面が、レーベルプリンタ１１によって印刷可能な環状のインク受容領域（処理領域）と、その外周側にて印刷が不能な非インク受容領域（非処理領域）とを有するレーベル面とされている。
【００５５】
上記スタッカトレイ１０１は、メディアＭを排出用メディアスタッカ部１０３へガイドする案内傾斜部１２５ｂ，１２６ｂからなるガイド通路１３０の前後の経路と繋がっており、スタッカトレイ１０１及びその前後のメディアＭを移動させる機構がメディアＭを移動させる経路機構とされている。
図１０及び図１１に示すように、ガイド通路１３０を形成するガイド面１２５ｃ，１２６ｃの幅寸法Ｗは、メディアＭのデータ記録面における非データ記録領域Ｙの所定幅Ａ以下（１ｍｍ以下）とされている。
【００５６】
また、案内傾斜部１２５ｂ，１２６ｂの一対のガイド壁１２５ｄ，１２６ｄ同士の間隔Ｇは、メディアＭの外径Ｄｍ１よりも僅かに大きな寸法とされ、これらの寸法差（Ｇ−Ｄｍ１）は、メディアＭのデータ記録面における非データ記録領域Ｙの所定幅Ａ以下（Ｇ−Ｄｍ１≦１ｍｍ）の範囲とされている。
【００５７】
これにより、メディアＭは、一対のガイド壁１２５ｄ，１２６ｄの間にて排出用メディアスタッカ部１０３へガイドされて滑り落ちる際に、そのデータ記録面側における外周部分の非データ記録領域Ｙの範囲が一対のガイド面１２５ｃ，１２６ｃに接触することとなる。
つまり、メディアＭは、そのデータ記録面のデータ記録領域Ｘがガイド面１２５ｃ，１２６ｃに接触することなく、排出用メディアスタッカ部１０３へ導かれる。
【００５８】
ここで、これら傾斜案内部１２５ｂ，１２６ｂのガイド面１２５ｃ，１２６ｃは、図１２に示すように、その先端側への延長線が、排出用メディアスタッカ部１０３の上端におけるメディアＭの案内方向側の縁部（図１２の左端）にて初めて交差する。
【００５９】
これにより、一対のガイド面１２５ｃ，１２６ｃに沿って案内されながらガイド通路１３０を滑り落ちるメディアＭは、排出用メディアスタッカ部１０３に積層されて収納されたメディアＭの最上部のメディアＭの上面との接触が極力抑えられ、したがって、滑り落ちるメディアＭが排出用メディアスタッカ部１０３に収納されたメディアＭの上面に引っ掛かることなく、排出用メディアスタッカ部１０３に収納されたメディアＭ上に積層される。
【００６０】
ここで、図１３にも示すように、パブリッシャ１の開閉扉３には、その下端に、排出用メディアスタッカ部１０３との干渉を避ける切欠部３ａが形成されており、開閉扉３を閉じた際に、この切欠部３ａがメディア排出口６とされる。
また、この切欠部３ａにおける排出用メディアスタッカ部１０３の上部には、上方から下方側へ向かって次第に装置の奥側へ傾斜する傾斜面３ｂを有する取り出し凹部３ｃが形成されている。
【００６１】
これにより、ユーザは、排出用メディアスタッカ部１０３に積層状態に収納されてメディア排出口６にて露出されたメディアＭを把持し、取り出し凹部３ｃ側へ持ち上げ、傾斜面３ｂに沿って引き上げることにより、これらメディアＭを容易に取り出すことができるようになっている。
また、排出用メディアスタッカ部１０３を形成する底板部１２１の手前側の端部には、その幅方向の中央部分に凹部１２１ｂが形成されており、排出用メディアスタッカ部１０３からメディアＭを取り出す際に、この凹部１２１ｂに指を入れることにより、メディアＭを容易に把持することができるようになっている。
【００６２】
以上、説明したように、上記実施形態によれば、メディアＭの外周部分を摺動可能に支持するガイド通路１３０の傾斜案内部１２５ｂ，１２６ｂのガイド面１２５ｃ，１２６ｃが、メディアＭのデータ記録面におけるデータ記録領域Ｘの外周側に設けられた非データ記録領域Ｙの幅Ａよりも小さい幅寸法Ｗに形成されているので、メディアＭの移動時におけるデータ記録領域Ｘへの損傷を防止することができる。つまり、データ記録領域Ｘへ影響を与えることなくメディアＭをガイドして所定位置である排出用メディアスタッカ部１０３へ導くことができる。
【００６３】
特に、ガイド通路１３０の傾斜案内部１２５ｂ，１２６ｂの一対のガイド壁１２５ｄ，１２６ｄ同士の間隔Ｇは、メディアＭの外径Ｄｍ１よりも僅かに大きな寸法とされ、これらの寸法差がメディアＭの非データ記録領域Ｙの幅Ａ以下の範囲とされているので、ガイド通路１３０にて移動するメディアＭの非データ記録領域Ｙのみを一対のガイド面１２５ｃ，１２６ｃにて確実に支持させることができる。
【００６４】
また、ガイド面１２５ｃ，１２６ｃの幅寸法Ｗが１ｍｍ以下であれば、規格によりメディアＭの非データ記録領域Ｙの幅が１ｍｍである場合においても、確実に非データ記録領域Ｙのみを一対のガイド面１２５ｃ，１２６ｃにて支持させることができる。
【００６５】
これにより、上記パブリッシャ１からなる情報処理装置によれば、データ記録領域Ｘへ影響を与えることなくメディアＭをガイドして所定位置である排出用メディアスタッカ部１０３へ導くことができるので、メディアＭの記録データの読取品質に影響を与えることなく、メディアＭに対するデータの書き込み処理を行うことができる。
【００６６】
なお、本発明は上述の実施の形態に限られることなく、種々の変更を行うことができる。以下、変形例について説明する。
図や説明については、上述の実施の形態と同じもしくは同一の機能を有する部品等には同符号を付し説明を省略する。
【００６７】
図１４に示すものは、メディアＭを排出用メディアスタッカ部１０３へガイドする案内傾斜部１２５ｂ，１２６ｂのガイド面１２５ｃ，１２６ｃが、メディアＭの移動方向に直交する断面視にて下方へ凹む曲面状に形成されたものである。
【００６８】
また、図１５に示すものは、メディアＭを排出用メディアスタッカ部１０３へガイドする案内傾斜部１２５ｂ，１２６ｂのガイド面１２５ｃ，１２６ｃが、メディアＭの移動方向に直交する断面視にて、ガイド通路１３０の中央に向かって下方へ傾斜する平面状に形成されたものである。
【００６９】
このようにガイド面１２５ｃ，１２６ｃを下方へ凹む曲面状とした場合あるいはガイド通路１３０の中央に向かって下方へ傾斜する平面状とした場合、ガイド面１２５ｃ，１２６ｃに沿って案内されながら滑り落ちるメディアＭは、その外周部分におけるデータ記録面側（下面側）の角部のみがガイド面１２５ｃ，１２６ｃと接触することとなる。
つまり、メディアＭは、そのデータ記録面のデータ記録領域Ｘがガイド面１２５ｃ，１２６ｃに接触することなく、排出用メディアスタッカ部１０３へ導かれることとなるので、メディアＭの移動時におけるデータ記録領域Ｘへの損傷を防止することができる。つまり、データ記録領域Ｘへ影響を与えることなくメディアＭをガイドして所定位置である排出用メディアスタッカ部１０３へ導くことができる。
【００７０】
また、図１６に示すものは、メディアＭを排出用メディアスタッカ部１０３へガイドする案内傾斜部１２５ｂ，１２６ｂのガイド面１２５ｃ，１２６ｃをガイド通路１３０の中央に向かって下方へ傾斜する平面状とし、その上にメディアＭの移動方向に直交する軸線を中心として回動可能な複数のコロ（転動体）１２５ｅ，１２６ｅを、メディアＭの移動方向に沿って配列したものである。
【００７１】
このようにガイド通路１３０の中央に向かって下方へ傾斜する平面状としたガイド面１２５ｃ，１２６ｃに、メディアＭの移動方向に直交する軸線を中心として回動可能な複数のコロ１２５ｅ，１２６ｅを備えた場合、ガイド面１２５ｃ，１２６ｃに沿って案内されながら滑り落ちるメディアＭは、コロ１２５ｅ，１２６ｅを転動させながら円滑に移動することとなる。
【００７２】
つまり、メディアＭは、そのデータ記録面のデータ記録領域Ｘがガイド面１２５ｃ，１２６ｃのコロ１２５ｅ，１２６ｅに接触することなく、排出用メディアスタッカ部１０３へ導かれる。
【００７３】
しかも、このように、ガイド面１２５ｃ，１２６ｃに、メディアＭの移動方向に直交する軸線を中心として回動可能な複数のコロ１２５ｅ，１２６ｅを備えた場合は、メディアＭとの接触抵抗を極力抑えることができ、メディアＭを円滑に案内することができる。
【００７４】
また、上記実施形態において、メディアＭが接触する部分を、低摩擦材料によって形成することが好ましく、このようにすると、メディアＭのガイドをさらに円滑に行うことができる。なお、低摩擦材料としては、フッ素樹脂や高分子ポリエチレンなどが適用可能である。
【００７５】
なお、上記実施形態では、データ記録面を下方に向けて移動させる場合を例にとって説明したが、レーベル面を下方に向けて移動させる場合にも適用可能であるのは勿論である。この場合、メディアＭを摺動可能に支持するガイド通路１３０の傾斜案内部１２５ｂ，１２６ｂにおける一対のガイド面１２５ｃ，１２６ｃを、メディアＭのレーベル面におけるインク受容領域の外周側の非インク受容領域の幅よりも小さい幅寸法に形成する。これにより、メディアＭの移動時におけるインク受容領域への損傷を防止することができる。つまり、インク受容領域へ影響を与えることなくメディアＭをガイドして所定位置である排出用メディアスタッカ部１０３へ導くことができる。
【図面の簡単な説明】
【００７６】
【図１】パブリッシャ（情報処理装置）の外観斜視図である。
【図２】パブリッシャのケースを外した状態の前方側の斜視図である。
【図３】パブリッシャのケースを外した状態の後方側の斜視図である。
【図４】パブリッシャに設置された記録装置部分の斜視図である。
【図５】パブリッシャの内部構造を示す平面図である。
【図６】スタッカトレイを示す斜視図である。
【図７】スタッカトレイを示す斜視図である。
【図８】スタッカトレイを示す概略側断面図である。
【図９】メディアを説明するメディアのデータ記録面側の平面図である。
【図１０】スタッカトレイを示す概略横断面図である。
【図１１】スタッカトレイを示す概略横断面図である。
【図１２】メディア排出口における断面図である。
【図１３】メディア排出口におけるメディアの排出状態を示す斜視図である。
【図１４】変形例におけるスタッカトレイを示す概略横断面図である。
【図１５】変形例におけるスタッカトレイを示す概略横断面図である。
【図１６】変形例におけるスタッカトレイを示す概略横断面図である。
【符号の説明】
【００７７】
１…パブリッシャ（情報処理装置）、１１…レーベルプリンタ（処理部）、４１…ドライブ（処理部）、１０１…スタッカトレイ（ディスクガイド部材、経路機構）、１２５ｃ，１２６ｃ…ガイド面（摺動部分）、１２５ｄ，１２６ｄ…ガイド壁（壁部）、１２５ｅ，１２６ｅ…コロ（転動体）、１３０…ガイド通路、Ａ…非データ領域の幅、Ｇ…ガイド壁の間隔、Ｄｍ１…メディアの外径、Ｍ，ＭＡ，ＭＢ，ＭＣ，ＭＤ…メディア（ディスク）、Ｗ…ガイド面の幅、Ｘ…データ記録領域（処理領域）、Ｙ，Ｚ…非データ記録領域（非処理領域）。
【図１】
2010055656.tif 000003
【図２】
2010055656.tif 000004
【図３】
2010055656.tif 000005
【図４】
2010055656.tif 000006
【図５】
2010055656.tif 000007
【図６】
2010055656.tif 000008
【図７】
2010055656.tif 000009
【図８】
2010055656.tif 000010
【図９】
2010055656.tif 000011
【図１０】
2010055656.tif 000012
【図１１】
2010055656.tif 000013
【図１２】
2010055656.tif 000014
【図１３】
2010055656.tif 000015
【図１４】
2010055656.tif 000016
【図１５】
2010055656.tif 000017
【図１６】
2010055656.tif 000018